【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
カルシウム前駆体、リン前駆体および過酸化水素を含有する前駆組成物の１つまたは複数を霧化するステップと、その後、
前記霧化した前駆組成物を燃焼するステップと、
を含むことを特徴とする安定または準安定なリン酸カルシウム相の製造方法。
【請求項２】
前記リン酸カルシウム相が、
ａ．リン酸カルシウム粒子、
ｂ．リン酸カルシウム複合粒子、
のうちの１つまたはその組み合わせを含むことを特徴とする請求項１に記載の方法。
【請求項３】
前記リン酸カルシウム複合粒子が、少なくとも１つの他の物質と混合されたリン酸カルシウム物質を含むことを特徴とする請求項２に記載の方法。
【請求項４】
前記リン酸カルシウム複合粒子が、内側のコア粒子の周囲にリン酸カルシウム物質のコーティングを含むことを特徴とする、請求項２に記載の方法。
【請求項５】
前記前駆組成物が、
ａ．液体、
ｂ．溶液、
ｃ．懸濁液、
ｄ．ゲル、
ｅ．ゾル、
ｆ．コロイド、
ｇ．微粒子、
ｈ．１つまたは複数のガス、
のうちの１つまたは複数を含むことを特徴とする請求項１から４のいずれか一項に記載の方法。
【請求項６】
前記前駆組成物が、
ａ．有機金属、
ｂ．イオン種、
ｃ．微粒子、
ｄ．水、
ｅ．炭化水素、
のうちの１つまたは複数を含むことを特徴とする請求項１から５のいずれか一項に記載の方法。
【請求項７】
前記有機金属が、
ａ．カルシウム、
ｂ．リン、
ｃ．イットリウム、
ｄ．ジルコニウム、
ｅ．マグネシウム、
ｆ．ケイ素、
ｇ．ストロンチウム、
ｈ．バリウム、
ｉ．二価の遷移金属、
ｊ．二価のランタニド、
のうちの１つまたは複数のアルコキシド、カルボン酸塩、またはエステルであることを特徴とする請求項６に記載の方法。
【請求項８】
前記イオン種が、カルシウム、リン、ケイ素、ジルコニウム、イットリウム、チタン、アルミニウム、リン酸塩、亜リン酸塩、硝酸塩、ハライド、酸化物、水酸化物、炭酸塩、硫酸塩、ケイ酸塩、ヒ酸塩、チタン酸塩、アルミナ、遷移金属の４面体イオン、またはランタニドの４面体イオンのうちの１つまたは複数を含むことを特徴とする請求項６に記載の方法。
【請求項９】
前記前駆物質を一緒に混合するために、霧化するステップおよび燃焼するステップの前に混合するステップを実施することを特徴とする請求項１に記載の方法。
【請求項１０】
霧化および／または燃焼の間に前記前駆物質を一緒に混合することを特徴とする請求項１に記載の方法。
【請求項１１】
前記霧化が、ベルヌーイ噴霧器、圧力噴霧器、２流体噴霧器、超音波噴霧器、改良スプレー乾燥機、改良噴霧コーター、エアブラシ、エレクトロスプレー噴霧器、同軸ノズルアセンブリ、圧力低下を取り入れるノズル、およびガスレンズ原理で動作する同軸ノズルアセンブリのうちの１つまたは複数によるものであることを特徴とする請求項１に記載の方法。
【請求項１２】
燃焼を促進するためにガスが供給されることを特徴とする請求項１に記載の方法。
【請求項１３】
前記ガスが、
ａ．水素、
ｂ．酸素、
ｃ．空気、
ｄ．不活性な非可燃性ガス、
ｅ．揮発性炭化水素、
ｆ．水蒸気、
のうちの１つまたは複数を含むことを特徴とする請求項１２に記載の方法。
【請求項１４】
前記ガスが、
ａ．霧化、
ｂ．火炎中への微粒子の送達、
の機能のうちの１つまたは複数をさらに行うことを特徴とする請求項５、１２、または１３のいずれか一項に記載の方法。
【請求項１５】
前記微粒子が、リン酸カルシウム、ジルコニア、安定化ジルコニア、チタニア、アルミナ、ガラス、シリカ、炭素繊維、窒化物、サルフェート、またはカーバイドのうちの１つまたは複数を含むことを特徴とする請求項５または１４に記載の方法。
【請求項１６】
前記前駆組成物が燃焼チャンバー内で燃焼されることを特徴とする請求項１から１５のいずれか一項に記載の方法。
【請求項１７】
前記燃焼チャンバーの壁が、
ａ．金属、
ｂ．耐火性物質、
の物質のうちの１つまたは複数から形成されることを特徴とする請求項１６に記載の方法。
【請求項１８】
前記燃焼チャンバーが、前記チャンバーの長さに沿った熱勾配を制御するように制御された方法で加熱が可能になるように構成されることを特徴とする、請求項１７に記載の方法。
【請求項１９】
前記リン酸カルシウム相が、
ａ．スクラバー、
ｂ．集塵装置、
ｃ．生成物粒子を捕捉するために液体を使用する粒子トラップ、
のいずれか１つで収集されることを特徴とする請求項１から１８のいずれか一項に記載の方法。
【請求項２０】
燃焼が
ａ．火花発生器、
ｂ．口火、
のうちの１つを使用して開始されることを特徴とする請求項１に記載の方法。
【請求項２１】
前記リン酸カルシウム相が、
ａ．ヒドロキシアパタイト、
ｂ．オキシアパタイト、
ｃ．カーボネートアパタイト、
ｄ．フルオロアパタイト、
ｅ．クロロアパタイト、
ｆ．ブロモアパタイト、
ｇ．リン酸三カルシウム、
ｈ．リン酸八カルシウム、
ｉ．リン酸二カルシウム、
ｊ．リン酸一カルシウム、
のうちの１つまたは複数を含むことを特徴とする請求項１から２０のいずれか一項に記載の方法。
【請求項２２】
前記リン酸カルシウム相が、一般式
Ｃａ10-x（Ａ）x（ＰＯ4）6-y（Ｂ）y（ＯＨ）2-z（Ｃ）z、
但し、Ａは、Ｃａ、Ｍｇ、Ｓｒ、Ｂａ、二価の遷移金属、および二価のランタニドからなる群から選択された少なくとも１つを含む二価の陽イオン、
Ｂは、リン酸、ケイ酸塩、ヒ酸塩、チタン酸塩、アルミナ、硫酸塩、炭酸塩、遷移金属、特にその酸化物の４面体イオン、およびランタニド、特にその酸化物の４面体イオンからなる群から選択された少なくとも１つを含む陰イオン、
Ｃは、ヒドロキシル、炭酸水素塩、硝酸塩、フッ素、塩素、臭素およびヨウ素からなる群から選択された少なくとも１つを含む一価の陰イオン、
ｘは、ｘが０．００１から１０の範囲以内、
ｙは、ｙが０．００１から６の範囲以内、
ｚは、ｚが０．００１から２の範囲以内、
である置換アパタイトを含むことを特徴とする請求項１または２に記載の方法。
【請求項２３】
請求項１から２２のいずれか一項に記載の方法によって製造されることを特徴とするリン酸カルシウム相。
【請求項２４】
請求項１から２２のいずれか一項に記載の方法によって製造された物質を含むコーティングを有することを特徴とする物体。
【請求項２５】
前記コーティングが、燃焼生成物を、物体の表面に向けるとことによって形成されることを特徴とする請求項２４に記載の物体。
【請求項２６】
前記物体が、移植可能な物体であることを特徴とする請求項２４または２５に記載の物体。
【請求項２７】
前記移植可能な物体が、
ａ．医療用デバイス、
ｂ．ステント、
ｃ．ペースメーカー、
ｄ．除細動器、
ｅ．硬組織インプラント、
ｆ．カテーテル、
ｇ．炭素繊維の織物、
のうちの１つまたは複数であることを特徴とする請求項２６に記載の物体。
【請求項２８】
燃焼チャンバーと、
カルシウム前駆体、リン前駆体、および過酸化水素を含有する前駆組成物の供給源と、
前駆組成物を霧化して、前駆組成物を含む流れにするための噴霧器と、
前記霧化した前駆組成物の流れの燃焼を開始するための点火装置と、
を備えることを特徴とする安定または準安定なリン酸カルシウム相を製造するためのシステム。
【請求項２９】
前記チャンバーが一端で密閉されていることを特徴とする請求項２８に記載のリン酸カルシウム相を製造するためのシステム。
【請求項３０】
前記噴霧器が、流れを密閉端から離れる方向に向けるように配置されていることを特徴とする請求項２９に記載のシステム。
【請求項３１】
粒子を搬送するさらなる流れを導入するための手段をさらに備えることを特徴とする請求項２９または３０に記載のシステム。
【請求項３２】
請求項２８から３１のいずれか一項に記載のシステムを備える、物品をコーティングするためのシステムであって、前記コーティングされる物品を前記燃焼から生じる生成物の経路中に配置することを特徴とするシステム。